(57)【要約】【課題】綴じられる写真や絵画等を容易に綴じ込み及び取り出しすることができるアルバムを提供する。【解決手段】アルバムは、表表紙１とシート状体３と裏表紙２とから成るアルバム本体と、アルバム本体の端部を収容する綴り箱４０ａと、アルバム本体の端部側を貫通する貫通孔１１、並びに綴り箱４０ａの貫通孔４１を挿通して、一対の側壁４２０に渡されるように配設される綴じピン５と、綴り箱４０ａの外面に着脱可能に取り付けられ、側壁４２０に形成された貫通孔４１を覆い、弾性材料から成る固定カバー４６ａと、を備える。【選択図】図２Ａ
0003176956.tif 000002
【実用新案登録請求の範囲】
【請求項１】
表表紙と裏表紙との間にシート状体を連綴してなるアルバムであって、
前記表表紙と複数の前記シート状体と前記裏表紙とを前記アルバムの厚さ方向に積層したアルバム本体と、
底壁と、該底壁の両側から立設し、前記アルバムの厚さ方向に貫通する貫通孔を有する一対の側壁とを有し、前記底壁と前記一対の側壁とに囲まれる溝に、前記アルバム本体の端部を収容する収容部材と、
前記アルバム本体の前記端部側を貫通する貫通孔、並びに前記収容部材の前記一対の側壁に形成された前記貫通孔を挿通して、前記一対の側壁に渡されるように配設される連綴部材と、
前記収容部材の外面に着脱可能に取り付けられ、前記側壁に形成された前記貫通孔を覆い、弾性材料から成る抜け止め部材と、
を備えることを特徴とするアルバム。
【請求項２】
前記抜け止め部材は、
前記収容部材の前記底壁及び前記一対の側壁の外面を覆う被覆部と、前記収容部材の挿抜を許容する開口と、前記被覆部の前記開口側の端部に設けられ、前記収容部材に係止する係止部と、を備え、
前記係止部は、前記抜け止め部材の弾性変形に応じて、前記収容部材に係止し又は係止解除することを特徴とする請求項１に記載のアルバム。
【請求項３】
前記収容部材は、前記アルバム本体の前記端部に沿う方向の両端に、前記側壁の外面から前記側壁の外側に向かって突出する一対の第１突部を有し、
前記抜け止め部材は、前記一対の第１突部間の長さより短く形成され、両端が前記第１突部に当接することで移動を制限されていることを特徴とする請求項２に記載のアルバム。
【請求項４】
前記抜け止め部材は、前記アルバム本体の前記端部に沿う方向の両端に、内側に突出する一対の第２突部を有し、
前記収容部材は、前記一対の第２突部間の長さより短く形成され、両端が前記第２突部に当接することで前記抜け止め部材の移動を制限していることを特徴とする請求項２に記載のアルバム。
【請求項５】
前記抜け止め部材と前記収容部材のうち一方に穴部、他方に、前記穴部に係合する凸部が形成されていることを特徴とする請求項２に記載のアルバム。
【請求項６】
前記抜け止め部材は、複数回の貼着・剥離が可能な貼着面を有し、該貼着面が、前記収容部材における前記貫通孔の前記周縁に貼着されて前記収容部材に取り付けられることを特徴とする請求項１に記載のアルバム。
【考案の詳細な説明】
【技術分野】
【０００１】
本考案は、アルバムに係り、特に、綴じ込まれる写真や絵画又はこれらを保持する台紙等を容易に綴じ込み及び取り出しすることができるアルバムに関する。
【背景技術】
【０００２】
従来から、写真や絵画等の整理及び保存のため、アルバム、バインダー式ファイル、クリアーファイル等が用いられている。そして、これらアルバムやファイル等は様々な種類があり、目的に応じた外観や形式のものが適宜選択して用いられる。
【０００３】
例えば、特許文献１には、アルバムの表表紙とシート状体と裏表紙とを収容する背表紙部材と、これらを挿通して綴じ込む連綴部材と、背表紙部材の側面に係合され、連綴部材が抜け落ちることを防止する抜け止め部材と、を備えるアルバムが開示されている。
【０００４】
背表紙部材は、断面が台形状である溝を、両側面に有し、この溝に連綴部材が挿通する貫通孔が所定の間隔で複数形成されている。
【０００５】
抜け止め部材は、高強度木材によって形成され、その断面は略台形状に形成されている。この略台形の一方の側辺は円弧状にくびれており、他方の側辺の中央は突出している。また、抜け止め部材は、側面の一部に、後述する連綴部材の取り外しの際に機能する凹部を有する。
【０００６】
抜け止め部材の背表紙部材への取り付けは、抜け止め部材を、円弧状の辺を有する面が背表紙部材の台形状の溝縁に沿うように回転させて挿入し、他方の中央が突出する辺を有する面が溝内で膨出することで、背表紙部材の溝に嵌着される。このようにして、抜け止め部材は、連綴部材が挿通する貫通孔を塞ぎ、連綴部材の抜け落ちを防ぐことになる。
【０００７】
また、アルバムからシート状体の入れ替える際には、抜け止め部材を背表紙部材から取り外し、シート状体に対する連綴部材の連綴を解除する必要がある。特許文献１には、抜け止め部材に形成された凹部に治具を差し込んで、背表紙部材の溝から抜け止め部材を取り外して連綴部材の連綴を解除することが開示されている。
【先行技術文献】
【特許文献】
【０００８】
【特許文献１】実用新案登録第３１７２１９９号公報
【考案の概要】
【考案が解決しようとする課題】
【０００９】
上記のように、シート状体を連綴部材から着脱するには、連綴部材の移動を制限する抜け止め部材を背表紙部材から取り外す必要がある。
【００１０】
しかし、抜け止め部材は、断面が台形状である溝と略一致する形状を有して、この溝に嵌着している。このため、上記のように凹部に挿し込む治具がなければ、抜け止め部材を背表紙部材から取り外すことは困難であった。
【００１１】
本考案は、かかる問題に鑑みてなされたものであり、その目的は、綴じられる台紙等の入れ替えが容易であるアルバムを提供することにある。
【課題を解決するための手段】
【００１２】
上記課題は、本考案のアルバムが、表表紙と裏表紙との間にシート状体を連綴してなるアルバムであって、前記表表紙と複数の前記シート状体と前記裏表紙とを前記アルバムの厚さ方向に積層したアルバム本体と、底壁と、該底壁の両側から立設し、前記アルバムの厚さ方向に貫通する貫通孔を有する一対の側壁とを有し、前記底壁と前記一対の側壁とに囲まれる溝に、前記アルバム本体の端部を収容する収容部材と、前記アルバム本体の前記端部側を貫通する貫通孔、並びに前記収容部材の前記一対の側壁に形成された前記貫通孔を挿通して、前記一対の側壁に渡されるように配設される連綴部材と、前記収容部材の外面に着脱可能に取り付けられ、前記側壁に形成された前記貫通孔を覆い、弾性材料から成る抜け止め部材と、を備えることにより解決される。
【００１３】
このように、抜け止め部材は、弾性材料から形成されていることにより、弾性による復元力によって連綴部材の抜け落ちを防ぐことができるとともに、収容部材に簡単に着脱できる。このため、連綴部材の挿抜が容易となり、綴じられる台紙等の入れ替えが容易となる。
【００１４】
また、例えば、前記抜け止め部材は、前記収容部材の前記底壁及び前記一対の側壁の外面を覆う被覆部と、前記収容部材の挿抜を許容する開口と、前記被覆部の前記開口側の端部に設けられ、前記収容部材に係止する係止部と、を備え、前記係止部は、前記抜け止め部材の弾性変形に応じて、前記収容部材に係止し又は係止解除する。このようにすると、抜け止め部材を、その弾性変形を利用して収容部材に、容易に係止し又は係止解除できる。
【００１５】
更に、前記収容部材は、前記アルバム本体の前記端部に沿う方向の両端に、前記側壁の外面から前記側壁の外側に向かって突出する一対の第１突部を有し、前記抜け止め部材は、前記一対の第１突部間の長さより短く形成され、両端が前記第１突部に当接することで移動を制限されていると好ましい。このようにすると、抜け止め部材の収容部材からの意図せぬ脱離を防ぐことができる。
【００１６】
また、前記抜け止め部材は、前記アルバム本体の前記端部に沿う方向の両端に、内側に突出する一対の第２突部を有し、前記収容部材は、前記一対の第２突部間の長さより短く形成され、両端が前記第２突部に当接することで前記抜け止め部材の移動を制限しているようにしてよい。このようにしても、抜け止め部材の収容部材からの意図せぬ脱離を防ぐことができる。
【００１７】
更に、前記抜け止め部材と前記収容部材のうち一方に穴部、他方に、前記穴部に係合する凸部が形成されているようにしてもよい。このようにすると、収容部材と抜け止め部材の係合のために、突出部が端部に形成されていなくても、収容部材と抜け止め部材との長尺方向における相対的な移動を制限できる。
【００１８】
また、前記抜け止め部材は、複数回の貼着・剥離が可能な貼着面を有し、該貼着面が、前記収容部材における前記貫通孔の前記周縁に貼着されて前記収容部材に取り付けられるようにしてもよい。このようにすると、抜け止め部材をコンパクトとすることができ、更に、貫通孔の周縁に貼着する大きさの材料のみで、連綴部材の抜け止めが可能となるためコストを低減することができる。また、収容部材が抜け止め部材に完全に覆われずに露出しているので、収容部材に化粧布を張り付けるようにして外観を良くすることができる。
【考案の効果】
【００１９】
本考案のアルバムによれば、綴じられる台紙等の入れ替えが容易となる。
【図面の簡単な説明】
【００２０】
【図１】本考案の実施形態に係るアルバムの斜視図である。
【図２Ａ】背表紙部材を示す分解斜視図である。
【図２Ｂ】綴り箱と固定カバーとを示す側面図である。
【図３Ａ】第１変形例に係る背表紙部材における綴り箱と固定カバーとを示す斜視図である。
【図３Ｂ】第１変形例に係る背表紙部材における綴り箱と固定カバーとを示す側面図である。
【図４】第２変形例に係る背表紙部材における綴り箱と固定カバーとを示す斜視図である。
【図５Ａ】第３変形例に係る背表紙部材における綴り箱と固定シールとを示す斜視図である。
【図５Ｂ】第３変形例に係る背表紙部材における綴り箱と固定シールとを示す断面図である。
【考案を実施するための形態】
【００２１】
以下に、本考案のアルバムについて説明する。なお、以下に説明する部材やその構成等は、本考案を限定するものではなく、本考案の趣旨に沿って各種改変することができることは勿論である。
【００２２】
本考案の実施形態に係るアルバム１０は、図１、図２Ａ及び図２Ｂに示すように、表表紙１と、裏表紙２と、複数のシート状体３と、背表紙部材４ａと、表表紙１と裏表紙２とシート状体３とを連綴する複数の綴じピン（連綴部材）５と、を備える。なお、表表紙１と裏表紙２と複数のシート状体３とを合わせてアルバム本体と称呼する。
【００２３】
表表紙１及び裏表紙２は、互いにほぼ同じ形、同じ大きさを有する。シート状体３は、写真、絵画、版画等が印刷された紙、色紙等の厚紙の他、布、フィルム等である。また、表表紙１、裏表紙２及びシート状体３は、一端に、円柱状の小片である綴じピン５よりも大径であり前記一端の縁に沿うように所定の間隔で形成された複数の貫通孔１１をそれぞれ有する。表表紙１、裏表紙２及びシート状体３は、綴じピン５に貫通孔１１を挿通されて連綴される。
【００２４】
背表紙部材４ａは、表表紙１、裏表紙２及び複数のシート状体３のそれぞれの前記一端を収容する綴り箱（収容部材）４０ａと、綴り箱４０ａよりも短尺であり、綴り箱４０ａの周囲を覆うように取り付けられる固定カバー（抜け止め部材）４６ａと、を備える。
【００２５】
綴り箱４０ａは、底壁と底壁の両側から立設する一対の側壁４２０とから構成され、断面コの字状に形成された長尺部材である本体部４２を備える。本体部４２は、底壁と一対の側壁４２０とに囲まれる溝４００を有する。一対の側壁４２０には、綴じピン５よりも大径であり所定の間隔で形成された複数の貫通孔４１が形成されている。複数の貫通孔４１は、一対の側壁４２０を連通する方向に形成されている。なお、一対の側壁４２０の外面間隔は、綴じピン５の長さと略同じである。また、本体部４２の両端には、本体部４２の断面よりも大きな断面を有する端面板（第１突部）４４が、突出した状態で接合又は一体的に形成されている。
【００２６】
固定カバー４６ａは、貫通孔４１からの綴じピン５の抜脱を防ぐ機能を有し、厚さが約２ｍｍ程度であり、弾性を有する合成樹脂又はステンレス等の金属から形成されている。固定カバー４６ａは、底壁と底壁の両端から立設する一対の側壁（被覆部）４６０を有する。固定カバー４６ａは、側壁４６０の上端から側壁４６０の開口を閉塞する方向に突出し、長尺方向に延出するツメ（係止部）４７を有する。なお、固定カバー４６ａの外面は、端面板４４の外面と略同一の大きさである。このように形成されていることで、固定カバー４６ａの外面は、固定カバー４６ａが綴り箱４０ａに取り付けられた状態において、端面板４４の外面と面一となる。
【００２７】
固定カバー４６ａの長さは、本体部４２の両端に接合された端面板４４の相互の間隔よりも僅かに短い長さであり、略同一の長さである。固定カバー４６ａの内面の大きさは、綴り箱４０ａの外面よりも僅かに大きな大きさである。また、固定カバー４６ａのツメ４７は、綴り箱４０ａの本体部４２の厚みと略同じ量だけ他の部位から突出している。
【００２８】
次に、上記のように構成された本実施形態に係るアルバム１０に係る表表紙１、裏表紙２及び複数のシート状体３の綴じ込み・固定方法について説明する。まず、使用者は、表表紙１、裏表紙２及び複数のシート状体３それぞれの貫通孔１１が形成された一端を綴り箱４０ａに収容する。次に、綴じピン５を表表紙１、裏表紙２及び複数のシート状体３に挿通させ、この状態で、固定カバー４６ａを、貫通孔４１からの綴じピン５の抜脱を防ぐように綴り箱４０ａに取り付ける。
【００２９】
この固定カバー４６ａの綴り箱４０ａへの取り付け方法について、具体的に説明する。使用者は、固定カバー４６ａの開口が大きくなる方向に弾性力に抗する力をツメ４７に付与する。次に、使用者は、固定カバー４６ａを、ツメ４７が開かれて開口が大きく開かれた状態で、綴り箱４０ａの本体部４２を覆うように開口側から挿入する。使用者が、固定カバー４６ａを離すと、ツメ４７が復元力によって本体部４２の開放側端面に回り込むように変形する。このようにして、ツメ４７と本体部４２の端面と係合し、固定カバー４６ａが綴り箱４０ａに取り付けられることとなる。
【００３０】
このように、固定カバー４６ａが綴り箱４０ａの本体部４２を覆っていることで、綴じピン５の移動は、固定カバー４６ａの内面間に制限される。上記のように、固定カバー４６ａが本体部４２の外面に略一致するように形成されており、綴じピン５が、本体部４２の外側面の間隔と略一致する長さで形成されている。このため、綴じピン５の端面が本体部４２の内面より内側に移動することを防ぐことができる。つまり、ツメ４７を弾性力に抗して開口が開く方向に力を加え、固定カバー４６ａを綴り箱４０ａから意図的にはずさない限り、綴じピン５の連綴状態は維持される。
【００３１】
また、固定カバー４６ａは、綴り箱４０ａにおける端面板４４の相互間の長さよりも僅かに短い長さで形成されているため、長尺方向に外力が加わることで移動する場合に、一対の端面板４４のいずれかの長尺方向内側の面に当接する。このため、固定カバー４６ａの長尺方向の移動は端面板４４の内面間に制限される。
【００３２】
また、ツメ４７を有する固定カバー４６ａは、短尺方向に外力が加わることで移動する場合に、その内面が綴り箱４０ａの外面に当接する。このため、固定カバー４６ａの短尺方向の移動は、その内面と綴り箱４０ａの外面との間に制限される。
【００３３】
このように作用することで、固定カバー４６ａは、綴り箱４０ａから不意にはずれることはない。
【００３４】
（第１変形例）
上記の背表紙部材４ａにおいては、固定カバー４６ａは、綴り箱４０ａの一対の端面板４４に当接することで、その移動を制限されるものとして説明したが、本考案は、この構成に限定されない。次に、第１変形例に係る背表紙部材４ｂについて説明する。なお、以下において、上記のアルバム１０の構成部品が有する特徴との相違を明確にするため、重複する特徴については説明を省略する。
【００３５】
第１変形例に係る背表紙部材４ｂは、図３Ａ及び図３Ｂに示すように、綴り箱（収容部材）４０ｂと、綴り箱４０ａよりも長尺であり、綴り箱４０ｂの周囲を覆うように取り付けられる固定カバー（抜け止め部材）４６ｂと、を備える。
【００３６】
第１変形例に係る背表紙部材４ｂと上記の例に係る背表紙部材４ａとの第１の相違点は、綴り箱４０ｂにおいて、両端面に端面板４４が接合されていないという点である。第２の相違点は、固定カバー４６ｂにおいて、内部空間の断面積が小さくなるように両端部（第２突部）４８が内側に突出して形成されている点である。第３の相違点は、綴り箱４０ｂは、固定カバー４６ｂにおける両端部４８の間の長さよりも僅かに短い長さであり、略同一の長さで形成されている点である。
【００３７】
このような構成を備える背表紙部材４ｂにおいては、固定カバー４６ｂは、上記の固定カバー４６ａと同様に綴り箱４０ｂを覆っている状態の場合に、固定カバー４６ｂが長尺方向に移動したときには、両端部４８が綴り箱４０ｂの端面に当接する。よって、固定カバー４６ｂは、その移動が制限されるため、弾性力に抗する力が付与されて変形しない限り、綴り箱４０ｂから不意にはずれることはない。
【００３８】
また、綴り箱４０ｂと固定カバー４６ｂとの間に、標題を記載する背表紙台紙を配するようにしてもよい。このような構成のときには、固定カバー４６ｂを取り外すことで背表紙台紙の入れ替えを容易にできる。
【００３９】
（第２変形例）
上記においては、綴り箱４０ａ，４０ｂの両端と固定カバー４６ａ，４６ｂの両端とが当接することによって、それぞれの相対的な移動を制限するものとして説明したが、本考案は、このような構成に限定されない。
【００４０】
例えば、第２変形例に係る背表紙部材４ｃは、図４に示すように、一対の側壁４２０の外面に複数のディンプル（穴部）４５を有する綴り箱（収容部材）４０ｃと、綴り箱４０ｃの一対の側壁４２０に対向する一対の側壁４６０の内面に係合突起（凸部）４９を有する固定カバー（抜け止め部材）４６ｃと、を備える。
【００４１】
ディンプル４５と係合突起４９とは、それぞれ複数形成されており、固定カバー４６が綴り箱４０ｃを覆うように偏りなく被せられた状態において、対向する位置に同一の間隔で形成されている。
【００４２】
このような構成を備える背表紙部材４ｃにおいては、固定カバー４６ｃが綴り箱４０ｃを覆っている状態において、ディンプル４５と係合突起４９とが係合している。この係合によって、固定カバー４６ｃは、その移動が制限されるため、弾性力に抗する力が付与されて変形しない限り、綴り箱４０ｃから不意にはずれることはない。
【００４３】
また、綴り箱４０ｃにディンプル４５が形成され、固定カバー４６ｃに係合突起４９が形成されているものとして説明したが、両者の長尺方向への相対的な移動を制限できれば、その構成は任意である。例えば、固定カバー４６ｃが、一対の側壁４６０の内面にディンプル４５を有し、綴り箱４０ｃが、その一対の側壁４２０の外面から突出する係合突起４９を有する構成であってもよい。
【００４４】
なお、上記においては、綴り箱４０ｃの両側の側壁４２０にディンプル４５が形成され、固定カバー４６ｃの両側の側壁４６０に係合突起４９が形成されているものとして説明した。しかし、本考案は、これに限定されず、綴り箱４０ｃの一方側の側壁４２０とその側壁４２０に対向する固定カバー４６ｃの一方側の側壁４６０のみに形成されているものとしてもよい。また、綴り箱４０ｃの下面と固定カバー４６ｃの内底面に形成されていてもよい。
【００４５】
（第３変形例）
上記における背表紙部材４ａ，４ｂ，４ｃは、綴り箱４０ａ，４０ｂ，４０ｃと、これらを覆う固定カバー４６ａ，４６ｂ，４６ｃとを備える構成であったが、本考案は、このような構成を備えるもの限定されない。
【００４６】
例えば、第３変形例に係る背表紙部材４ｄは、図５Ａに示すように、一対の側壁４２０に綴じピン５が挿通する複数の貫通孔４１を有する綴り箱（収容部材）４０ｄと、綴り箱４０ｄにおける貫通孔４１の周縁部５０に貼着される固定シール（抜け止め部材）４６ｄとを備える。
【００４７】
固定シール４６ｄは、薄い円形状であり、弾性を有する合成樹脂で形成されており、何度も再貼付可能な粘着剤が塗布された貼着面を有する。
【００４８】
綴り箱４０ｄにおける貫通孔４１の周縁部５０であり、固定シール４６ｄが貼り付けられる面は、固定シール４６ｄよりも大径である円形状に形成され、他の部位よりも窪んで形成されている。
【００４９】
このような構成を備える背表紙部材４ｄにおいて、綴じピン５が貫通孔４１を挿通して一対の側壁４２０に渡され後、２つの固定シール４６ｄが綴じピン５を塞ぐように一対の側壁４２０の周縁部５０に貼り付けられる。このようにすると、綴じピン５の移動は固定シール４６ｄの内面間に制限される。
【００５０】
具体的には、綴じピン５が周縁部６０から抜け出る方向に移動し固定シール４６ｄに当接したとしても、固定シール４６ｄの弾性による復元力が作用し、綴じピン５の抜け出る方向の移動が制限される。つまり、綴じピン５の端面が一対の側壁４２０の内面より内側に移動することを防ぐことができる。よって、固定シール４６ｄを剥がさない限り、綴じピン５が不意に外れることがなく、連綴状態は維持される。
【００５１】
また、固定シール４６ｄの貼着面における綴じピン５の抜脱を防ぐための貼着力は、必要以上に大きなものでなくてもよい。具体的に説明すると、綴じピン５が表表紙１、シート状体３、裏表紙２の貫通孔１１を挿通している状態において、綴じピン５には、軸に垂直な方向の力と軸方向の力とが加わる。軸に垂直な方向の力は、表表紙１、シート状体３、裏表紙２が引かれる際に、貫通孔１１が当接することによって加わる。また、軸方向の力は、表表紙１、シート状体３、裏表紙２を開閉する際に、貫通孔１１の縁との摩擦によって加わる。この軸方向の力が綴じピン５の抜脱に影響するものであるが、軸方向に垂直な方向の力に比べて非常に小さい。よって、固定シール４６ｄは、必要以上に大きなものでなくても、綴じピン５の抜脱を防ぐことができる。
【００５２】
上記第３変形例に係る背表紙部材４ｄを備えるアルバム１０は、固定カバーの代わりに安価な固定シール４６ｄを備えることで、材料費が低減される。
【００５３】
また、固定シール４６ｄは、綴り箱４０ｄの貫通孔４１の周縁部５０のみを塞ぐものであるため、その他の部位は露出していることとなる。このため、図５Ｂに示すように、綴り箱４０ｄの表面を覆うように表皮材６１が張られていると、美観性が良好となり好適である。
【００５４】
この場合、表皮材６１は、例えば、表表紙１及び裏表紙２の表面に張られた表皮材６０と同じ色彩及び模様を有する共布で形成されたものであると、より美観が良好となる。
【００５５】
また、固定シール４６ｄは、貼着面を有し、綴り箱４０ｄに貼着されるものとして説明したが、本考案はこれに限定されない。例えば、固定シール４６ｄを、磁性を有するマグネットとし、綴り箱４０ｄが磁性材料から成るものとして、磁力を利用して綴り箱４０ｄに固定シール４６ｄを固定するようにしてもよい。この場合、固定シール４６ｄは、片側のみ、強磁性材料から形成されたマグネットであると好ましい。このようにすることで、綴り箱４０ｄ以外の磁性材料の影響を抑制でき、且つ、綴り箱４０ｄと固定シール４６ｄとの間に布を介したとしても磁力による結合を維持できるため、固定シール４６ｄが不意にはずれることを防止することができる。また、固定シール４６ｄは、綴り箱４０ｄに、面ファスナーによって貼り付けられるものであってもよい。
【符号の説明】
【００５６】
１  表表紙（アルバム本体）
２  裏表紙（アルバム本体）
３  シート状体（アルバム本体）
４ａ，４ｂ，４ｃ，４ｄ  背表紙部材
４０ａ，４０ｂ，４０ｃ，４０ｄ  綴り箱（収容部材）
４００  溝
４１  貫通孔
４２  本体部
４２０  側壁
４４  端面板（第１突部）
４５  ディンプル（穴部）
４６ａ，４６ｂ，４６ｃ  固定カバー（抜け止め部材）
４６０  側壁（被覆部）
４８  両端部（第２突部）
４７  ツメ（係止部）
４６ｄ  固定シール（抜け止め部材）
４９  係合突起（凸部）
５０  周縁部
５  綴じピン（連綴部材）
１０  アルバム
１１  貫通孔
【図１】
0003176956.tif 000003
【図２Ａ】
0003176956.tif 000004
【図２Ｂ】
0003176956.tif 000005
【図３Ａ】
0003176956.tif 000006
【図３Ｂ】
0003176956.tif 000007
【図４】
0003176956.tif 000008
【図５Ａ】
0003176956.tif 000009
【図５Ｂ】
0003176956.tif 000010